(57)【要約】      （修正有）【課題】作業着からの油汚れが付いたり、作業着や運動着からの汗が浸み込んだりした場合に使い捨てできる安価な車両用シートカバーを提供する。【解決手段】車両の座席に使用するカバーであって、座部２と背もたれ部３がダンボールで構成されている。両部は折り目部４で分かれ、車両の座席形状に合わせて成形され、車両の座席に合致するように折り込まれ、背もたれ部の長さ方向上部に張り出して固定部材５で座席に装着される。【選択図】図１
0003184557.tif 000002
【実用新案登録請求の範囲】
【請求項１】
車両の座席に使用するカバーであって、座部と背もたれ部がダンボールで構成されており、両部は折り目部で分かれ、車両の座席形状に合わせて成形され、車両の座席に合致するように折り込み装着されることを特徴とする車両用シートカバー。
【請求項２】
背もたれ部の長さ方向上部に張り出して車両の座席にシートカバーを固定する部材を有する請求項１に記載の車両用シートカバー。
【請求項３】
ダンボールが２ｍｍから８ｍｍの厚みを有する請求項１または２に記載の車両用シートカバー。
【考案の詳細な説明】
【技術分野】
【０００１】
本考案は、自動車等の車両に使用するシートカバーに関する。
【背景技術】
【０００２】
従来、車両に使用されているシートカバーの素材として、薄手の綿、化学繊維等が使われている。
【０００３】
最近、ドライバーに快適な安定感を与えるシートカバーとして、天然のい草を織成した畳表を使用したシートカバー（特許文献１）が提案された。
【先行技術文献】
【特許文献】
【０００４】
【特許文献１】特開２００４−３５８１９２号公報
【考案の概要】
【考案が解決しようとする課題】
【０００５】
従来の薄手の綿、化学繊維等の素材からなるシートカバーは、車両本体の座席の座部または背面部が汚れたり、擦れて傷むのを防止するために使用されるが、機械油などによる酷い汚れに対応することを想定したものではない。天然い草を織成した畳表を使用したシートカバーは製造コストが高く、汎用ではない。
【０００６】
本考案は、乗員が着ている作業着からの油汚れが付いたり、汗に塗れた作業着や運動着からの汗が浸み込んだりした場合に使い捨てできるシートカバーを安価に提供することを目的とする。
【課題を解決するための手段】
【０００７】
本考案の車両用シートカバーは、座部と背もたれ部がダンボールで構成されており、両部は折り目部で分かれ、車両の座席形状に合わせて成形され、車両の座席に合致するように折り込み装着されることを特徴とする。
【０００８】
座部と背もたれ部を構成するダンボールとしては、板紙を多層構造で強靭にし、包装資材などに使用できるように加工した板状の紙製品であり、ライナーにフルーテッド（波型に加工）した中芯を貼り付け、さらに裏側にライナーで補強したシート（板状のもの）をはじめ、各種の段ボールシート及び様々な段ボール製品を解体して得られる段ボールシートが使用される。
【０００９】
ダンボールの厚みは、２ｍｍから８ｍｍの間であるのが好ましい。２ｍｍより薄い場合、シートカバーに浸み込んだ汚れが車両用座席に移り易くなり、また８ｍｍを超える場合、シートカバーに折り目を付けるのが難しく、座席に合致するように折り込み装着し得るシートカバーを成形することが難しくなる。
【００１０】
車両用シートカバーの座部と背もたれ部の形状は、車両用座席の座部と背面部に合致するように折り込み装着される形状であれば、特に限定されるものではない。素材がダンボールであることから、車両の座席形状に合わせて成形することができ、幅や長さを容易に調整することができる。ハサミやカッターで容易にカットでき、その際に、布のようにほつれることがなく、裂けることもないので、シートカバーの形状を自由に変えることもできる。
車両用シートカバーは、予め長さ方向に折り目を付けておき、座した際に座り心地が良くなるように新たに折り目を追加して車両用座席の座部及び背面部に合致するように折り込み装着される。
【００１１】
車両用シートカバーは、素材のダンボールの色でもよいし、カラフルな様々な色で絵柄が描かれていてもよい。
【００１２】
本考案の車両用シートカバーは、車両用座席に合致するように折り込み装着されて固定されるように、背もたれ部の長さ方向上部に張り出して形成された部材（これを固定部材という）を有していてもよい。固定部材に紐状部材又はヘッドレストの支柱を挿通可能な挿通構造を形成し、挿通構造に挿通された紐状部材を車両のヘッドレスト部分に結ぶか、挿通構造にヘッドレストの支柱を挿通させるか、固定部材を車両用座席の背面部とヘッドレストの間に挿入する等の方法により、車両用シートカバーを車両用座席に固定することができる。
【考案の効果】
【００１３】
本考案の車両用シートカバーは、乗員が着ている作業着に付着した油汚れや、汗に塗れた作業着や運動着からの汗などの汚れから車両の座席生地や座席カバーを守ることができる。油汚れが付着したり、汗が浸み込んだ車両用シートカバーは、素材がダンボールであることから、一般ゴミとして処理することができる。
本考案の車両用シートカバーは、安価に提供されて使い捨てできるので、汚れた場合には適時に新しいシートカバーと取り換えることにより、車両内を常に清潔に保つことができ、衛生面でも貴重である。
本考案の車両用シートカバーは、ドライバーの体を運転に適した状態に安定させると共に、シートカバー自体が座席生地や座席カバーの上でズレ難く、また乗り降りの際に、乗員が腰掛けた状態で体の向きをドア方向に移動させ易いので、非常に便利である。
【図面の簡単な説明】
【００１４】
【図１】本考案の車両用シートカバーの展開図である。
【図２】本考案の車両用シートカバーの使用状態を示す側面図である。
【図３】本考案の車両用シートカバーを車両用座席の上に設置した使用状態を示す平面図である。
【図４】本考案の車両用シートカバーを車両用座席の上に設置した使用状態を示す斜視図である。
【考案を実施するための形態】
【００１５】
以下、本考案の一実施形態を図面に基づいて説明する。
図１に示す車両用シートカバー１は、座部２と背もたれ部３を有し、両部が折り目部４で分かれており、背もたれ部の長さ方向上部に張り出して固定部材５を有する。座部２、背もたれ部３、折り目部４及び固定部材５はいずれもダンボールで構成されている。その使用状態を側面からみたのが図２である。
図３は、車両用シートカバー１を車両用座席の上に設置した使用状態を示す平面図である。図４は、車両用シートカバー１を車両用座席の上に設置した使用状態を示す斜視図であり、車両用シートカバー１の座部２、背もたれ部３及び固定部材５と車両用座席の座部６、背面部７及び車両のヘッドレスト８の位置関係を示す。固定部材５の挿通構造にヘッドレストの支柱を挿通させ、車両用シートカバーを車両用座席に固定している。
【産業上の利用可能性】
【００１６】
本考案の車両用シートカバーは、乗員が着ている作業着に付着した油汚れや、汗に塗れた作業着や運動着からの汗などの汚れから車両の座席生地や座席カバーを守ることができるので、自動車の整備に携わる作業者、農業生産者、漁業従事者など汚れた着衣のままで自動車に乗る機会が多い人達の自動車用シートカバーとして有用である。
本考案の車両用シートカバーは、安価に提供されて使い捨てできるので、汚れた場合には適時に新しいシートカバーと取り換えることにより、自動車内を常に清潔に保つことができ、衛生面でも貴重である。
【符号の説明】
【００１７】
１    シートカバー
２    座部
３    背もたれ部
４    折り目部
５    固定部材
６    座席の座部
７    座席の背面部
８    ヘッドレスト
【図１】
0003184557.tif 000003
【図２】
0003184557.tif 000004
【図３】
0003184557.tif 000005
【図４】
0003184557.tif 000006
【手続補正書】
【提出日】平成25年4月24日(2013.4.24)
【手続補正１】
【補正対象書類名】図面
【補正対象項目名】全図
【補正方法】変更
【補正の内容】
【図１】
0003184557.tif 000007
【図２】
0003184557.tif 000008
【図３】
0003184557.tif 000009
【図４】
0003184557.tif 000010